(57)【要約】【課題】情報の配信者及び閲覧者の利便性を向上させることを可能とする。【解決手段】受信部１２は、配信情報、配信者の位置を示す配信者位置情報及び配信情報が配信される範囲を示す配信距離を配信者端末から受信する。データベース１１は、受信された配信情報、配信者位置情報及び配信距離を対応づけて格納する。受信部１２は、閲覧者の位置を示す閲覧者位置情報及び閲覧者が配信情報を閲覧する範囲を示す閲覧距離を閲覧者端末から受信する。配信情報特定部１３は、データベース１１に格納された配信者位置情報及び配信距離と受信された閲覧者位置情報及び閲覧距離とに基づいて、データベース１１に格納された配信情報を閲覧者が閲覧可能な配信情報として特定する。送信部１４は、特定された配信情報を閲覧者端末に送信する。【選択図】図６
2019086826.tif 000002
【特許請求の範囲】
【請求項１】
配信情報を配信する配信者によって利用される第１端末及び当該配信情報を閲覧する閲覧者によって利用される第２端末と通信可能に接続される情報配信装置において、
前記配信情報、前記配信者の位置を示す第１位置情報及び前記配信情報が配信される範囲を示す第１距離を前記第１端末から受信する第１受信手段と、
前記受信された配信情報、第１位置情報及び第１距離を対応づけて格納する格納手段と、
前記閲覧者の位置を示す第２位置情報及び前記閲覧者が前記配信情報を閲覧する範囲を示す第２距離を前記第２端末から受信する第２受信手段と、
前記格納手段に格納された第１位置情報及び第１距離と前記受信された第２位置情報及び第２距離とに基づいて、前記格納手段に格納された配信情報を前記閲覧者が閲覧可能な配信情報として特定する特定手段と、
前記特定された配信情報を前記第２端末に送信する送信手段と
を具備する情報配信装置。
【請求項２】
前記特定手段は、前記第２位置情報によって示される位置が前記第１位置情報によって示される位置から前記第１距離内にあり、前記第１位置情報によって示される位置が前記第２位置情報によって示される位置から前記第２距離内にある場合に、前記第１位置情報及び前記第１距離に対応づけて前記格納手段に格納された配信情報を特定する請求項１記載の情報配信装置。
【請求項３】
前記特定手段は、
前記第１位置情報によって示される位置と前記第２位置情報によって示される位置との直線距離である第３距離を算出する算出手段を含み、
前記算出された第３距離が前記第１距離以下であり、かつ、当該第３距離が前記第２距離以下である場合に、前記第１位置情報及び前記第１距離に対応づけて前記格納手段に格納された配信情報を特定する
請求項２記載の情報配信装置。
【請求項４】
前記特定手段は、
前記第１位置情報によって示される位置と前記第２位置情報によって示される位置との間の経路上の距離である第３距離を算出する算出手段を含み、
前記算出された第３距離が前記第１距離以下であり、かつ、当該第３距離が前記第２距離以下である場合に、前記第１位置情報及び前記第１距離に対応づけて前記格納手段に格納された配信情報を特定する
請求項２記載の情報配信装置。
【請求項５】
前記配信情報は、画像データを含み、
前記第１位置情報は、前記配信情報に含まれる画像データにＥｘｉｆデータとして付加されている位置情報である
請求項１記載の情報配信装置。
【請求項６】
前記第２位置情報は、前記閲覧者の現在位置を示す位置情報及び前記閲覧者によって予め登録された位置を示す位置情報のうち前記閲覧者によって選択された位置情報である請求項１記載の情報配信装置。
【請求項７】
前記配信情報は、前記配信者によって指定されたカテゴリを示すカテゴリ情報を含み、
前記第２受信手段は、前記閲覧者によって指定されたカテゴリを示すカテゴリ情報を更に受信し、
前記特定手段は、前記受信されたカテゴリ情報によって示されるカテゴリと同一のカテゴリを示すカテゴリ情報を含む配信情報を特定する
請求項１記載の情報配信装置。
【請求項８】
前記第１受信手段は、前記配信者が配信する配信情報毎に、当該配信情報、前記第１位置情報及び前記第１距離を前記第１端末から受信し、
前記第１距離は、前記配信情報毎に前記第１端末において設定される
請求項１記載の情報配信装置。
【請求項９】
配信情報を配信する配信者によって利用される第１端末及び当該配信情報を閲覧する閲覧者によって利用される第２端末と通信可能に接続される情報配信装置が実行する情報配信方法であって、
前記配信情報、前記配信者の位置を示す第１位置情報及び前記配信情報が配信される範囲を示す第１距離を前記第１端末から受信するステップと、
前記受信された配信情報、第１位置情報及び第１距離を対応づけて格納手段に格納するステップと、
前記閲覧者の位置を示す第２位置情報及び前記閲覧者が前記配信情報を閲覧する範囲を示す第２距離を前記第２端末から受信するステップと、
前記格納手段に格納された第１位置情報及び第１距離と前記受信された第２位置情報及び第２距離とに基づいて、前記格納手段に格納された配信情報を前記閲覧者が閲覧可能な配信情報として特定するステップと、
前記特定された配信情報を前記第２端末に送信するステップと
を具備する情報配信方法。
【請求項１０】
配信情報を配信する配信者によって利用される第１端末及び当該配信情報を閲覧する閲覧者によって利用される第２端末と通信可能に接続される情報配信装置のコンピュータによって実行されるプログラムであって、
前記コンピュータに、
前記配信情報、前記配信者の位置を示す第１位置情報及び前記配信情報が配信される範囲を示す第１距離を前記第１端末から受信するステップと、
前記受信された配信情報、第１位置情報及び第１距離を対応づけて格納手段に格納するステップと、
前記閲覧者の位置を示す第２位置情報及び前記閲覧者が前記配信情報を閲覧する範囲を示す第２距離を前記第２端末から受信するステップと、
前記格納手段に格納された第１位置情報及び第１距離と前記受信された第２位置情報及び第２距離とに基づいて、前記格納手段に格納された配信情報を前記閲覧者が閲覧可能な配信情報として特定するステップと、
前記特定された配信情報を前記第２端末に送信するステップと
を実行させるためのプログラム。
【発明の詳細な説明】
【技術分野】
【０００１】
本発明は、情報配信装置、情報配信方法及びプログラムに関する。
【背景技術】
【０００２】
近年では、インターネット等のネットワークを介して配信（投稿）された情報を例えばスマートフォン、タブレット端末及びパーソナルコンピュータ（ＰＣ）等の端末装置を介して閲覧することが行われている。
【０００３】
これに関連して、例えば指定された地域情報内の投稿を当該地域情報を指定した閲覧者が閲覧可能なように振り分ける技術（以下、先行技術と表記）が開示されている（例えば、特許文献１を参照）。
【先行技術文献】
【特許文献】
【０００４】
【特許文献１】特開２０１７−１３４７６７号公報
【発明の概要】
【発明が解決しようとする課題】
【０００５】
しかしながら、上記した先行技術では、配信者が意図する範囲に情報を配信できない場合がある。また、閲覧者が意図する情報を閲覧するのが困難な場合があり、利便性に欠ける。
【０００６】
そこで、本発明の目的は、情報の配信者及び閲覧者の利便性を向上させることが可能な情報配信装置、情報配信方法及び情報配信プログラムを提供することにある。
【課題を解決するための手段】
【０００７】
本発明の１つの態様によれば、配信情報を配信する配信者によって利用される第１端末及び当該配信情報を閲覧する閲覧者によって利用される第２端末と通信可能に接続される情報配信装置が提供される。前記情報配信装置は、第１受信手段と、格納手段と、第２受信手段と、特定手段と、送信手段とを具備する。前記第１受信手段は、前記配信情報、前記配信者の位置を示す第１位置情報及び前記配信情報が配信される範囲を示す第１距離を前記第１端末から受信する。前記格納手段は、前記受信された配信情報、第１位置情報及び第１距離を対応づけて格納する。前記第２受信手段は、前記閲覧者の位置を示す第２位置情報及び前記閲覧者が前記配信情報を閲覧する範囲を示す第２距離を前記第２端末から受信する。前記特定手段は、前記格納手段に格納された第１位置情報及び第１距離と前記受信された第２位置情報及び第２距離とに基づいて、前記格納手段に格納された配信情報を前記閲覧者が閲覧可能な配信情報として特定する。前記送信手段は、前記特定された配信情報を前記第２端末に送信する。
【発明の効果】
【０００８】
本発明は、情報の配信者及び閲覧者の利便性を向上させることを可能とする。
【図面の簡単な説明】
【０００９】
【図１】本発明の実施形態に係る情報配信装置を含む情報配信システムのハードウェア構成を示す図。
【図２】情報配信システムの概要について説明するための図。
【図３】情報配信システムの概要について説明するための図。
【図４】情報配信システムの概要について説明するための図。
【図５】情報配信システムの概要について説明するための図。
【図６】情報配信システムの機能構成の一例を示すブロック図。
【図７】配信者が配信情報を配信する際に情報配信システムによって実行される処理の処理手順の一例を示すシーケンスチャート。
【図８】データベースのデータ構造の一例を示す図。
【図９】第１配信画面の一例を示す図。
【図１０】第２配信画面の一例を示す図。
【図１１】配信設定画面の一例を示す図。
【図１２】第３配信画面の一例を示す図。
【図１３】閲覧者が配信情報を閲覧する際に情報配信システムによって実行される処理の処理手順の一例を示すシーケンスチャート。
【図１４】閲覧画面の一例を示す図。
【図１５】配信情報特定処理の処理手順の一例を示すフローチャート。
【図１６】閲覧者が閲覧可能な配信情報について概念的に説明するための図。
【発明を実施するための形態】
【００１０】
以下、図面を参照して、本発明の実施形態について説明する。
【００１１】
図１は、本実施形態に係る情報配信装置を含むネットワークシステム（情報配信システム）のハードウェア構成を示す図である。
【００１２】
図１に示す情報配信システムは、主として、情報配信装置１０、複数の配信者端末２０及び複数の閲覧者端末３０を備える。なお、図１において、配信者端末２０及び閲覧者端末３０はそれぞれ１つのみが示されている。
【００１３】
情報配信装置１０は、例えばハードウェアプロセッサであるＣＰＵ等を含むコンピュータ（サーバコンピュータ）１０ａ及び当該コンピュータ１０ａによって利用される（当該コンピュータ１０ａと接続された）ハードディスクドライブのような記憶装置１０ｂとを備える。この記憶装置１０ｂは、コンピュータ１０ａによって実行されるプログラム１０ｃを格納する。
【００１４】
配信者端末２０は、配信者によって利用される端末装置であり、例えばスマートフォン、タブレット端末及びパーソナルコンピュータ（ＰＣ）等によって実現される。なお、本実施形態において、配信者とは、情報を配信する主体である例えば飲食店等の店舗やその他の施設等を想定しているが、以下の説明においては、当該情報を配信する際に配信者端末２０を操作する当該店舗や施設のスタッフ等を配信者と称する場合もある。配信者は、配信者端末２０を介して、当該配信者（店舗や施設）の情報等をインターネットのようなネットワーク上に配信することができる。
【００１５】
閲覧者端末３０は、配信者によって配信された配信情報を閲覧する閲覧者によって利用される端末装置であり、例えばスマートフォン、タブレット端末及びパーソナルコンピュータ等によって実現される。閲覧者は、閲覧者端末３０を介して、上記した配信者によって配信された情報（以下、配信情報と表記）を閲覧することができる。
【００１６】
本実施形態における情報配信システムにおいて、情報配信装置１０は、複数の配信者端末２０及び複数の閲覧者端末３０とネットワーク４０を介して通信可能に接続される。
【００１７】
以下、本実施形態における情報配信システムの概要について説明する。一般的に、情報配信装置１０のようなサーバ装置を介して配信情報が配信される場合、当該配信情報は、様々な位置にいる様々な閲覧者によって閲覧可能である場合が多い。
【００１８】
これは、より多くの閲覧者に対して配信情報を配信するという点でメリットがある一方で、例えば配信者の近隣の閲覧者のみに配信したい配信情報がある場合であっても、当該配信者の意図に反して関係の少ない閲覧者（つまり、物理的に遠くにいる閲覧者）にも閲覧されてしまうということが考えられる。また、上記したように様々な位置にいる様々な閲覧者によって配信情報が閲覧される場合、当該配信情報をどのような閲覧者が閲覧するかがわからないため、配信する配信情報の内容にも注意が必要であり、広範囲に配信される情報としてはそれほど重要でないような内容の情報については配信を躊躇することも考えられる。
【００１９】
一方、例えば近隣の飲食店等の店舗の配信情報を閲覧したいにもかかわらず、多数の配信情報が閲覧者端末３０に表示されてしまうと、閲覧者の意図する配信情報を探索（閲覧）することが困難となり、利便性が低い。
【００２０】
そこで、本実施形態における情報配信システムにおいて、配信者は、当該配信者が配信する配信情報毎に当該配信情報が配信される範囲（以下、配信範囲と表記）を設定することが可能であるものとする。これによれば、例えば配信範囲外にいる閲覧者によって配信情報が閲覧されることはない。
【００２１】
また、情報配信システムにおいて、閲覧者は、配信情報を閲覧する範囲（以下、閲覧範囲と表記）を設定することが可能であるものとする。これによれば、例えば閲覧範囲外の配信者によって配信された配信情報は、閲覧者によって閲覧されない（つまり、閲覧者端末３０に表示されない）。
【００２２】
具体的には、図２に示すように、配信者Ｘによって設定された配信範囲５１ａ内に閲覧者Ａが位置しており、閲覧者Ａによって設定された閲覧範囲５１ｂ内に配信者Ｘが位置している場合には、当該配信者Ｘによって配信された配信情報は閲覧者Ａによって閲覧可能である。なお、図２において、配信範囲は実線の円、閲覧範囲は破線の円で示されている。以下において説明する他の図においても同様である。
【００２３】
また、図３に示すように、配信者Ｘによって設定された配信範囲５２ａ内に閲覧者Ａが位置しているが、閲覧者Ａによって設定された閲覧範囲５２ｂ内に配信者Ｘが位置していない場合には、当該配信者Ｘによって配信された配信情報は閲覧者Ａによって閲覧可能ではない。
【００２４】
また、図４に示すように、配信者Ｘによって設定された配信範囲５３ａ内に閲覧者Ａが位置しておらず、閲覧者Ａによって設定された閲覧範囲５３ｂ内に配信者Ｘが位置していない場合には、当該配信者Ｘによって配信された配信情報は閲覧者Ａによって閲覧可能ではない。
【００２５】
また、図５に示すように、配信者Ｘによって設定された配信範囲５４ａ内に閲覧者Ａが位置していない場合には、閲覧者Ａによって設定された閲覧範囲５４ｂ内に配信者Ｘが位置している場合であっても、当該配信者Ｘによって配信された配信情報は閲覧者Ａによって閲覧可能ではない。
【００２６】
上記したように本実施形態においては、図２〜図５において説明したように配信者によって設定された配信範囲内に閲覧者が位置しており、かつ、閲覧者によって設定された閲覧範囲内に配信者Ｘが位置している場合に、閲覧者は、当該配信者によって配信された配信情報を閲覧することができるものとする。
【００２７】
これによれば、配信者は当該配信者の意図する範囲にのみ配信情報を配信することができ、閲覧者は当該閲覧者の意図する範囲の配信情報のみを閲覧することができる。
【００２８】
次に、図６を参照して、本実施形態における情報配信システムの構成について説明する。図６は、情報配信システム（情報配信装置１０、配信者端末２０及び閲覧者端末３０）の主として機能構成を示すブロック図である。
【００２９】
図６に示すように、配信者端末２０は、配信情報生成部２１、位置情報取得部２２、配信範囲取得部２３及び送信部２４を含む。
【００３０】
本実施形態において、これらの各部２１〜２４は、例えば専用のアプリケーションプログラムが配信者端末２０のプロセッサ（コンピュータ）によって実行される（つまり、配信者端末２０上でアプリケーションが起動される）ことによって実現される機能部である。なお、このアプリケーションプログラムは、例えば、コンピュータ読み取り可能な記憶媒体に予め格納して頒布可能であるし、ネットワークを介して配信者端末２０にダウンロード（インストール）されても構わない。
【００３１】
配信情報生成部２１は、配信者端末２０に対する配信者（店舗や施設のスタッフ等）の操作に応じて配信情報を生成する。なお、配信情報生成部２１によって生成される配信情報には、例えば配信者によって撮影または選択された画像データ、当該配信者によって作成されたテキスト（メッセージ）及び当該配信情報（の内容）が属するカテゴリを示すカテゴリ情報等が含まれる。
【００３２】
位置情報取得部２２は、配信者の位置（座標）を示す位置情報（第１位置情報）を取得する。以下の説明において、配信者の位置を示す位置情報は便宜的に配信者位置情報と称する。
【００３３】
配信範囲取得部２３は、配信情報生成部２１によって生成された配信情報が配信される範囲（以下、配信範囲と表記）を取得する。なお、配信範囲取得部２３によって取得される配信範囲は、例えば配信者位置情報によって示される位置からの距離（第１距離）によって示される。
【００３４】
送信部２４は、配信情報生成部２１によって生成された配信情報、位置情報取得部２２によって取得された配信者位置情報及び配信範囲取得部２３によって取得された配信範囲を情報配信装置１０に対して送信する。
【００３５】
図６に示すように、情報配信装置１０は、データベース（ＤＢ）１１、受信部１２、配信情報特定部１３及び送信部１４を含む。
【００３６】
本実施形態において、データベース１１は、例えば図１に示す記憶装置１０ｂ等によって実現される。また、本実施形態において、情報配信装置１０に含まれる各部１２〜１４は、例えば図１に示すコンピュータ（プロセッサ）１０ａが記憶装置１０ｂに格納されているプログラムを実行すること（つまり、ソフトウェア）により実現されるものとする。なお、このプログラムは、例えば、コンピュータ読み取り可能な記憶媒体に予め格納して頒布可能であるし、ネットワークを介して情報配信装置１０にダウンロード（インストール）されても構わない。
【００３７】
受信部１２は、配信者端末２０（に含まれる送信部２４）によって送信された配信情報、配信者位置情報及び配信範囲を受信する。受信部１２によって受信された配信情報、配信者位置情報及び配信範囲は、対応づけてデータベース１１に格納（登録）される。
【００３８】
また、受信部１２は、閲覧者が配信情報を閲覧する際に、当該閲覧者の位置（座標）を示す位置情報（第２位置情報）及び当該閲覧者が配信情報を閲覧する範囲（以下、閲覧範囲と表記）を閲覧者端末３０から受信する。以下の説明において、閲覧者の位置を示す位置情報は便宜的に閲覧者位置情報と称する。
【００３９】
配信情報特定部１３は、データベース１１に登録された配信者位置情報及び配信範囲と、受信部１２によって受信された閲覧者位置情報及び閲覧範囲とに基づいて、データベース１１に格納されている配信情報の中から閲覧者が閲覧可能な配信情報を特定する。
【００４０】
送信部１４は、配信情報特定部１３によって特定された配信情報を閲覧者端末３０に対して送信する。
【００４１】
図６に示すように、閲覧者端末３０は、位置情報取得部３１、閲覧範囲取得部３２、カテゴリ取得部３３、送信部３４、受信部３５及び表示部３６を含む。
【００４２】
本実施形態において、これらの各部３１〜３６は、例えば専用のアプリケーションプログラムが閲覧者端末３０のプロセッサ（コンピュータ）によって実行される（つまり、閲覧者端末３０上でアプリケーションが起動される）ことによって実現される機能部である。なお、このアプリケーションプログラムは、例えば、コンピュータ読み取り可能な記憶媒体に予め格納して頒布可能であるし、ネットワークを介して閲覧者端末３０にダウンロード（インストール）されても構わない。
【００４３】
閲覧者端末３０において実行されるアプリケーションプログラムは、上記した配信者端末２０において実行されるアプリケーションプログラムと同一のアプリケーションプログラムであってもよいし、配信者端末２０において実行されるアプリケーションプログラムとは異なるアプリケーションプログラムであってもよい。換言すれば、配信者端末２０及び閲覧者端末３０において実行されるアプリケーションプログラムは、各端末２０及び３０の機能部をそれぞれ実現可能な別個のアプリケーションプログラムであってもよいし、当該各端末２０及び３０の双方の機能部を実現可能な同一のアプリケーションプログラムであってもよい。
【００４４】
位置情報取得部３１は、閲覧者が配信情報を閲覧する際に、上記した閲覧者位置情報（つまり、閲覧者の位置を示す位置情報）を取得する。
【００４５】
閲覧範囲取得部３２は、上記した閲覧者が配信情報を閲覧する範囲（閲覧範囲）を取得する。なお、閲覧範囲取得部３２によって取得された閲覧範囲は、例えば閲覧者位置情報によって示される位置からの距離（第２距離）によって示される。
【００４６】
カテゴリ取得部３３は、閲覧者が閲覧を希望する配信情報が属するカテゴリを示すカテゴリ情報を取得する。
【００４７】
送信部３４は、位置情報取得部３１によって取得された閲覧者位置情報、閲覧範囲取得部３２によって取得された閲覧範囲及びカテゴリ取得部３３によって取得されたカテゴリ情報を情報配信装置１０に対して送信する。なお、カテゴリ取得部３３によって取得されたカテゴリ情報は、上記した配信情報特定部１３による処理に用いられる。
【００４８】
受信部３５は、情報配信装置１０（に含まれる送信部１４）によって送信された配信情報を受信する。受信部３５によって受信された配信情報は、表示部３６によって表示される。
【００４９】
次に、本実施形態における情報配信システムの動作について説明する。まず、図７のシーケンスチャートを参照して、配信者が配信情報を配信する際に情報配信システムによって実行される処理の処理手順について説明する。
【００５０】
配信者が配信情報を配信する場合、配信者による配信者端末２０に対する操作に応じて、当該配信者端末２０上でアプリケーション（プログラム）が起動される（ステップＳ１）。
【００５１】
ステップＳ１においてアプリケーションが起動されると、配信情報生成部２１は、配信者によって配信される配信情報を生成する（ステップＳ２）。なお、配信情報は、例えば配信者端末２０に対する配信者の操作に応じて生成される。配信情報は、例えば配信者（店舗）に関する情報等が含まれる。
【００５２】
位置情報取得部２２は、配信者の位置を示す位置情報（配信者位置情報）を取得する（ステップＳ３）。配信者位置情報は、例えば、配信者端末２０（スマートフォン等）に搭載されているＧＰＳ（Global Positioning System）センサによって測定される配信者の現在位置を示す位置情報であってもよいし、配信者によって予め登録されている位置（例えば、店舗の位置）を示す位置情報であってもよい。
【００５３】
また、配信範囲取得部２３は、ステップＳ２において生成された配信情報が配信される配信範囲を取得する（ステップＳ４）。配信範囲は、例えば配信者端末２０を操作する配信者によって指定される。この場合、配信者は、配信範囲として、配信者の位置からの距離を指定する。
【００５４】
なお、ここではステップＳ２〜Ｓ４の処理が順次実行されるものとして説明したが、当該ステップＳ２〜Ｓ４の処理の順番等は変更されても構わない。
【００５５】
ステップＳ４の処理が実行されると、送信部２４は、ステップＳ２において生成された配信情報、ステップＳ３において取得された配信者位置情報及びステップＳ４において配信範囲を情報配信装置１０に対して送信する（ステップＳ５）。
【００５６】
情報配信装置１０に含まれる受信部１２は、ステップＳ５において送信された配信情報、配信者位置情報及び配信範囲を受信する。
【００５７】
この場合、受信部１２によって受信された配信情報、配信者位置情報及び配信範囲がデータベース１１に登録される（ステップＳ６）。ステップＳ６の処理が実行されると、図７に示す配信処理は終了される。
【００５８】
なお、図８は、データベース１１のデータ構造の一例を示す。図８に示すようにデータベース１１には、配信情報、位置情報（配信者位置情報）及び配信範囲が対応づけて格納される。上記したように配信範囲は、当該配信範囲として配信者によって指定された距離である。
【００５９】
図８に示す例では、データベース１１には、配信情報「配信情報１」、位置情報「位置情報１」及び配信範囲「３ｋｍ」が対応づけて格納されている。これによれば、位置情報１によって示される位置から３ｋｍ以内の範囲において配信情報１が配信されることが示されている。
【００６０】
また、データベース１１には、配信情報「配信情報２」、位置情報「位置情報２」及び配信範囲「５ｋｍ」が対応づけて格納されている。これによれば、位置情報２によって示される位置から５ｋｍ以内の範囲において配信情報２が配信されることが示されている。
【００６１】
なお、データベース１１には、複数の配信者端末２０の各々と情報配信装置１０との間で図７に示す処理が実行されることによって登録された複数の配信情報が格納される。
【００６２】
以下、配信者が配信情報を配信する際に配信者端末２０に表示される画面例について具体的に説明する。
【００６３】
まず、上記した図７に示すステップＳ１においてアプリケーションが起動されると、配信者端末２０には、図９に示す第１配信画面１００が表示される。第１配信画面１００には、カメラ領域１０１、撮影ボタン１０２及びライブラリボタン１０３が配置されている。
【００６４】
ここで、例えば配信者端末２０がスマートフォンまたはタブレット端末であるものとする。この場合において、配信者端末２０においてアプリケーションが起動されると、当該配信者端末２０の例えば背面に搭載されているカメラ（図示せず）が起動される。
【００６５】
カメラ領域１０１には、上記したように起動されたカメラによって撮像される画像が表示される。
【００６６】
撮影ボタン１０２は、カメラ領域１０１に表示されている画像（写真）を撮影するためのボタンである。第１配信画面１００上で撮影ボタン１０２が押下された場合、当該撮影ボタン１０２が謳歌された時点でカメラ領域１０１に表示されている画像データが取得される。
【００６７】
ライブラリボタン１０３は、カメラ領域１０１に表示されている画像データ（つまり、カメラで撮影された画像データ）に代えて、配信者端末２０内のライブラリ（配信者端末２０が備える記憶装置等）に格納されている画像データを取得するためのボタンである。第１配信画面１００上でライブラリボタン１０３が押下された場合、ライブラリ（に格納されている画像データの中）から配信者によって選択された画像データが取得される。
【００６８】
上記したように画像データが取得されると、第１配信画面１００は、図１０に示す第２配信画面２００に遷移する。
【００６９】
第２配信画面２００には、画像表示領域２０１、カテゴリ選択領域２０２、テキスト入力領域２０３、配信ボタン２０４及び配信設定ボタン２０５が配置されている。
【００７０】
画像表示領域２０１は、上記した第１配信画面１００に対する操作に応じて取得された画像データ（つまり、撮影ボタン１０２が押下されることによって撮影された画像データまたはライブラリボタン１０３が押下されることによってライブラリから選択された画像データ）が表示される領域である。
【００７１】
カテゴリ選択領域２０２は、配信者によって配信される配信情報が属するカテゴリを選択するための領域である。カテゴリ選択領域２０２において選択可能なカテゴリには、例えば「フード」、「人」、「お店」、「商品／サービス」及び「その他」等が含まれる。
【００７２】
例えば画像表示領域２０１に店舗で提供される食べ物を含む画像データが表示されている（つまり、食べ物の画像を含む配信情報を配信する）場合には、カテゴリ選択領域２０２において「フード」のカテゴリが選択される。
【００７３】
また、画像表示領域２０１に店舗のスタッフ等を含む画像データが表示されている（つまり、人物の画像を含む配信情報を配信する）場合には、カテゴリ選択領域２０２において「人」のカテゴリが選択される。
【００７４】
また、画像表示領域２０１に店舗の様子等を含む画像データが表示されている（つまり、店舗に関する画像を含む配信情報を配信する）場合には、カテゴリ選択領域２０２において「お店」のカテゴリが選択される。
【００７５】
また、画像表示領域２０１に店舗で販売される商品または店舗で提供されるサービスに関する情報を含む画像データが表示されている（つまり、商品またはサービスに関する画像を含む配信情報を配信する）場合には、カテゴリ選択領域２０２において「商品／サービス」のカテゴリが選択される。
【００７６】
上記した「フード」、「人」、「お店」及び「商品／サービス」のカテゴリに属さない配信情報を配信する場合には、カテゴリ選択領域２０２において「その他」のカテゴリが選択される。
【００７７】
なお、配信者は、配信者端末２０を操作してカテゴリ選択領域２０２において各カテゴリに対応づけて設けられているチェックボックスをチェックすることによって、当該カテゴリを選択することが可能である。カテゴリ選択領域２０２においては、複数のカテゴリが選択されても構わない。
【００７８】
テキスト入力領域２０３は、例えば画像表示領域２０１に表示されている画像データ（の内容）を説明するためのテキストまたは閲覧者に対するメッセージ等（以下、単にテキストと表記）を入力するための領域である。配信者は、配信者端末２０を操作してテキスト入力領域２０３にテキストを入力することができる。
【００７９】
配信ボタン２０４は、配信情報を配信するためのボタンである。配信ボタン２０４が押下された場合、配信情報生成部２１は、画像表示領域２０１に表示されている画像データ、カテゴリ選択領域２０２において選択されたカテゴリ（を示すカテゴリ情報）及びテキスト入力領域２０３において入力されたテキストを含む配信情報を生成する。
【００８０】
ここでは、画像データ、カテゴリ及びテキストを含む配信情報が生成されるものとして説明したが、当該画像データ、カテゴリ及びテキストの少なくとも１つが省略された配信情報が生成されてもよいし、当該画像データ、カテゴリ及びテキスト以外の情報（多鳥羽、配信日等）を更に含む配信情報が生成されても構わない。すなわち、本実施形態における配信情報は、配信者によって配信される情報であればよく、その形式（内容）については限定されない。また、本実施形態において配信情報に含まれる画像データは、静止画（データ）であってもよいし、動画（データ）であってもよい。
【００８１】
なお、配信設定ボタン２０５は、配信情報の配信に関する設定を行うために用いられる。ここで、第２配信画面２００において配信設定ボタン２０５が指定（押下）された場合には、図１１に示す配信設定画面２０５ａが表示される。
【００８２】
配信設定画面２０５ａには、位置設定領域２０５ｂ及び配信範囲設定領域２０５ｃが設けられている。
【００８３】
位置設定領域２０５ｂは、配信者の位置（を示す位置情報）に関する設定を行うための領域である。位置設定領域２０５ｂにおいては、例えば「登録された住所」、「現在の端末の位置」、「画像のＥｘｉｆ（Exchangeable image file format）」及び「アプリケーションで指定」のうちの１つが選択される。
【００８４】
「登録された住所」は、配信者によって予め登録された住所（例えば、店舗の住所）に対応する位置を配信者の位置とすることを示す。
【００８５】
「現在の端末の位置」は、配信者端末２０に搭載されているＧＰＳセンサによって測定される配信者の現在位置を配信者の位置とすることを示す。
【００８６】
「画像のＥｘｉｆ」は、配信情報に含まれる画像データにＥｘｉｆとして付加されている位置（情報）を配信者の位置とすることを示す。なお、画像データにＥｘｉｆとして付加されている位置情報は、当該画像データが取得（撮影）された位置を示す情報である。
【００８７】
「アプリケーションで指定」は、例えば地図を表示するアプリケーション等を配信者端末２０において起動することによって表示された地図上で指定された位置を配信者の位置とすることを示す。
【００８８】
配信者は、配信者端末２０を操作して位置設定領域２０５ｂにおいて上記した「登録された住所」、「現在の端末の位置」、「画像のＥｘｉｆ」及び「アプリケーションで指定」のうちの１つを設定（選択）することが可能である。
【００８９】
なお、上記した配信ボタン２０４が押下された場合、位置情報取得部２２は、位置設定領域２０５ｂにおいて設定された内容に基づいて配信者位置情報を取得する。
【００９０】
具体的には、位置設定領域２０５ｂにおいて「登録された住所」が設定されている場合、位置情報取得部２２は、当該登録された住所に対応する位置を示す位置情報が配信者位置情報として取得する。
【００９１】
位置設定領域２０５ｂにおいて「現在の端末の位置」が設定されている場合、位置情報取得部２２は、例えば配信者端末２０に搭載されているＧＰＳセンサによって測定された位置を示す位置情報を配信者位置情報として取得する。
【００９２】
位置設定領域２０５ｂにおいて「画像のＥｘｉｆ」が設定されている場合、位置情報取得部２２は、画像表示領域２０１に表示されている画像データにＥｘｉｆとして付加されている位置情報を配信者位置情報として取得する。
【００９３】
位置設定領域２０５ｂにおいて「アプリケーションで指定」が設定されている場合、位置情報取得部２２は、所定のアプリケーションが起動されることによって配信者端末２０に表示された地図上で指定された位置を示す位置情報を配信者位置情報として取得する。
【００９４】
なお、配信者位置情報としては、上記した以外に、例えばＳＮＳ（Social Networking Service）等のサードパーティが提供するスポットの位置情報が取得されてもよいし、予め登録された郵便番号から特定される位置情報が取得されてもよい。
【００９５】
また、配信範囲設定領域２０５ｃは、配信情報が配信される配信範囲に関する設定を行うための領域である。図１１に示すように、配信範囲設定領域２０５ｃには、スライドバー２０５ｄ及び当該スライドバー２０５ｄ上に配置されたスライダー２０５ｅから構成されるインタフェースが設けられている。なお、このスライドバー２０５ｄの左端は例えば０．１ｋｍに対応し、当該スライドバー２０５ｄの右端は１０ｋｍに対応する。このような配信範囲設定領域２０５ｃにおいて、配信者は、配信者端末２０を操作してスライドバー２０５ｄ上のスライダー２０５ｅを左右に移動させることによって、０．１ｋｍ〜１０ｋｍの範囲内で配信範囲を示す距離を設定することが可能となる。
【００９６】
なお、上記した配信ボタン２０４が押下された場合、配信範囲取得部２３は、配信範囲設定領域２０５ｃにおいて設定された内容に基づいて配信範囲を取得する。
【００９７】
具体的には、配信範囲取得部２３は、配信範囲設定領域２０５ｃに設けられているスライドバー２０５ｄ上のスライダー２０５ｅの位置に応じた距離（図１１に示す例では、３ｋｍ）を配信範囲として取得する。
【００９８】
上記したように第２配信画面２００において配信ボタン２０４が押下された場合には、配信情報生成部２１によって配信情報が生成され、位置情報取得部２２によって配信者位置情報が取得され、配信範囲取得部２３によって配信範囲が取得される。この配信情報、配信者位置情報及び配信範囲は、図７に示すステップＳ５において情報配信装置１０に対して送信される。
【００９９】
なお、上記した第１配信画面１００及び第２配信画面２００に対する配信者の操作に応じて生成される配信情報は、例えば１枚の画像（データ）及びテキストまたはメッセージ（及びカテゴリ情報）から構成される比較的簡易な情報（トピック）であるが、例えば図１２に示す第３配信画面３００に対する配信者の操作に応じて店舗を紹介するような配信情報が生成されても構わない。
【０１００】
第３配信画面３００には、画像表示領域３０１及び店舗情報入力領域３０２が配置されている。画像表示領域３０１は、店舗を紹介するための画像データが表示される領域である。画像表示領域３０１に表示される画像データは、例えば配信者端末２０の背面に搭載されているカメラによって撮影された画像データであってもよいし、上記したライブラリから選択された画像データであってもよい。画像表示領域３０１には、複数の画像データが表示可能である。
【０１０１】
店舗情報入力領域３０２は、店舗に関する詳細な情報を入力するための領域である。店舗情報入力領域３０２には、例えば店舗の名称、住所、電話番号、営業日及び営業時間等を入力することができる。
【０１０２】
この第３配信画面３００において配信ボタン２０４が押下された場合には、画像表示領域３０１に表示されている複数の画像データ及び店舗情報入力領域３０２に入力された店舗に関する詳細な情報を含む配信情報（店舗を紹介するための配信情報）を生成することができる。
【０１０３】
なお、図１２においては省略されているが、第３配信画面３００においては例えば店舗の特徴を表現するタグを設定する領域等が更に配置されていてもよい。タグは、比較的短い文字列等から構成されており、配信情報として閲覧者が店舗の特徴を直感的に把握するために有用である。
【０１０４】
次に、図１３のシーケンスチャートを参照して、閲覧者が配信情報を閲覧する際に情報配信システムによって実行される処理の処理手順について説明する。
【０１０５】
閲覧者が配信情報を閲覧する場合、閲覧者による閲覧者端末３０に対する操作に応じて、当該閲覧者端末３０上でアプリケーション（プログラム）が起動される（ステップＳ１１）。
【０１０６】
ステップＳ１１においてアプリケーションが起動されると、位置情報取得部２２は、閲覧者の位置を示す位置情報（閲覧者位置情報）を取得する（ステップＳ１２）。閲覧者位置情報は、例えば閲覧者端末３０（スマートフォン等）に搭載されているＧＰＳセンサによって測定される閲覧者の現在位置を示す位置情報である。
【０１０７】
また、閲覧範囲取得部３２は、閲覧者が配信情報を閲覧する閲覧範囲を取得する（ステップＳ１３）。閲覧範囲は、例えば閲覧者端末３０を操作する閲覧者によって指定される。この場合、閲覧者は、閲覧範囲として、閲覧者の位置からの距離を指定する。
【０１０８】
また、カテゴリ取得部３３は、閲覧者が閲覧を希望する配信情報が属するカテゴリを示すカテゴリ情報を取得する（ステップＳ１４）。カテゴリ情報（によって示されるカテゴリ）は、例えば閲覧者端末３０を操作する閲覧者によって指定される。
【０１０９】
なお、ここではステップＳＳ１２〜Ｓ１４の処理が順次実行されるものとして説明したが、当該ステップＳ１２〜Ｓ１４の処理の順番等は変更されても構わない。
【０１１０】
ステップＳ１３の処理が実行されると、送信部３４は、ステップＳ１２において取得された閲覧者位置情報、ステップＳ１３において取得された閲覧範囲及びステップＳ１４において取得されたカテゴリ情報を情報配信装置１０に対して送信する（ステップＳ１５）。
【０１１１】
情報配信装置１０に含まれる受信部１２は、ステップＳ１５において送信された閲覧者位置情報、閲覧範囲及びカテゴリ情報を受信する。
【０１１２】
次に、配信情報特定部１３は、受信部１２によって受信された閲覧者位置情報、閲覧範囲及びカテゴリ情報に基づいて配信情報特定処理を実行する（ステップＳ１６）。配信情報特定処理の詳細については後述するが、当該配信情報特定処理においては、閲覧者位置情報、閲覧範囲及びカテゴリ情報に基づいて閲覧者が閲覧可能な配信情報が特定される。なお、ステップＳ１６において特定される配信情報は複数であっても構わない。
【０１１３】
ステップＳ１６の処理が実行されると、送信部１４は、配信情報特定処理において特定された配信情報（の一覧）を閲覧者端末３０に対して送信する（ステップＳ１７）。
【０１１４】
閲覧者端末３０に含まれる受信部３５は、ステップＳ１７において送信された配信情報を受信する。受信部３５によって受信された配信情報は、表示部３６によって表示される。これにより、閲覧者は、表示部３６に表示された配信情報を閲覧することができる。
【０１１５】
以下、上記した閲覧者が配信情報を閲覧する際に閲覧者端末３０に表示される画面例について具体的に説明する。
【０１１６】
まず、上記した図１３に示すステップＳ１においてアプリケーションが起動されると、閲覧者端末３０には、図１４に示す閲覧画面４００が表示される。閲覧画面４００には、カテゴリ選択領域４０１、閲覧範囲設定領域４０２及び配信情報表示領域４０３が配置されている。
【０１１７】
カテゴリ選択領域４０１には、閲覧者が閲覧を希望する配信情報のカテゴリを選択するための領域である。カテゴリ選択領域４０１において選択可能なカテゴリには、上記した配信情報を生成する際に配信者によって選択される「フード」、「人」、「お店」、「商品／サービス」及び「その他」に加えて「全て」が含まれる。
【０１１８】
閲覧者は、閲覧者端末３０を操作してカテゴリ選択領域４０１においてカテゴリを選択することが可能である。カテゴリ選択領域４０１において選択されたカテゴリ（図１４に示す例では「フード」）は、図１３に示すステップＳ１４において取得される。
【０１１９】
閲覧範囲設定領域４０２は、配信情報を閲覧する閲覧範囲に関する設定を行うための領域である。図１４に示すように、閲覧範囲設定領域４０２には、スライドバー４０２ａ及び当該スライドバー４０２ａ上に配置されたスライダー４０２ｂから構成されるインタフェースが設けられている。なお、このスライドバー４０２ａ及びスライダー４０２ｂは、上記した配信範囲設定領域２０５ｃに設けられているスライドバー２０５ｄ及びスライダー２０５ｅと同様のインタフェースを構成する。すなわち、スライドバー４０２ａの左端は例えば０．１ｋｍに対応し、当該スライドバー４０２ａの右端は１０ｋｍに対応する。このような閲覧範囲設定領域４０２において、閲覧者は、閲覧者端末３０を操作してスライドバー４０２ａ上のスライダー４０２ｂを左右に移動させることによって、０．１ｋｍ〜１０ｋｍの範囲内で閲覧範囲を示す距離を設定することが可能となる。
【０１２０】
上記した図１３に示すステップＳ１３においては、閲覧範囲設定領域４０２に設けられているスライドバー４０２ａ上のスライダー４０２ｂの位置に応じた距離（図１４に示す例では、２ｋｍ）が閲覧範囲として取得される。
【０１２１】
ここで、上記した図１３に示すステップＳ１２においては、デフォルトではＧＰＳセンサによって測定される閲覧者の現在位置を示す位置情報が閲覧者位置情報として取得されるものとする。なお、図１４においては省略されているが、例えば閲覧画面４００には、ステップＳ１２において取得される閲覧者位置情報を、ＧＰＳセンサによって測定される閲覧者の現在位置を示す位置情報から、閲覧者によって予め登録されている位置（例えば、自宅または勤務先の位置等）に切り替える（変更する）ためのボタンが設けられていてもよい。これによれば、閲覧者は、例えば現在地から閲覧範囲内の配信情報を閲覧することも可能であるし、自宅または勤務先等の予め登録されている位置から閲覧範囲内の配信情報を閲覧することも可能である。
【０１２２】
配信情報表示領域４０３は、上記した閲覧者位置情報、閲覧範囲及びカテゴリ情報に基づいて配信情報特定処理によって特定された配信情報の一覧を表示するための領域である。
【０１２３】
なお、閲覧画面４００に配置されているカテゴリ選択領域４０１におけるカテゴリ及び閲覧範囲設定領域４０２における閲覧範囲が閲覧者によって変更された場合には、上記した図１３に示すステップＳ１２以降の処理が再度実行される。これにより、カテゴリまたは閲覧範囲が変更された場合、配信情報表示領域４０３には、当該変更に応じて更新された配信情報が表示される。
【０１２４】
以下、図１５のフローチャートを参照して、上記した配信情報特定処理（図１３に示すステップＳ１６の処理）の処理手順について説明する。配信情報特定処理は、図１３に示すステップＳ１５において閲覧者端末３０から送信された閲覧者位置情報、閲覧範囲及びカテゴリ情報が受信部１２によって受信された後に実行される。
【０１２５】
配信情報特定処理においては、データベース１１に格納されている配信情報の各々についてステップＳ２１〜Ｓ２７の処理が実行される。以下、ステップＳ２１〜Ｓ２７の処理が実行される配信情報を対象配信情報と称する。
【０１２６】
この場合、配信情報特定部１３は、対象配信情報に対応づけてデータベース１１に格納されている配信者位置情報を取得する（ステップＳ２１）。なお、ステップＳ２１において取得された配信者位置情報は、対象配信情報を配信した配信者の位置を示す位置情報である。
【０１２７】
次に、配信情報特定部１３は、ステップＳ２１において取得された配信者位置情報によって示される位置と受信部１２によって受信された閲覧者位置情報によって示される位置との間の距離（第３距離）を算出する（ステップＳ２２）。
【０１２８】
ここで、ステップＳ２２においては、配信者位置情報によって示される位置（緯度及び経度）と閲覧者位置情報によって示される位置（緯度及び経度）との間の直線距離が算出されてもよいし、配信者位置情報によって示される位置と閲覧者位置情報によって示される位置との間の経路上の距離が算出されてもよい。なお、経路上の距離とは、例えばカーナビゲーションシステム等で利用される地図（情報）上で算出された経路で配信者位置情報によって示される位置から閲覧者位置情報によって示される位置に到達するまでの距離をいう。
【０１２９】
配信情報特定部１３は、対象配信情報に対応づけてデータベース１１に格納されている配信範囲を取得する（ステップＳ２３）。
【０１３０】
配信情報特定部１３は、ステップＳ２２において算出された距離に基づいて、閲覧者位置情報によって示される位置が配信範囲内にあるか否かを判定する（ステップＳ２４）。
【０１３１】
ここで、ステップＳ２３において取得された配信範囲は上記したように距離（以下、配信距離と表記）によって表される。この場合、ステップＳ２４においては、閲覧者位置情報によって示される位置が配信者位置情報によって示される位置から配信距離内にあるか否かが判定される。すなわち、ステップＳ２２において算出された距離が配信距離以下である場合には、閲覧者位置情報によって示される位置が配信範囲内にあると判定される。一方、ステップＳ２２において算出された距離が配信距離を超える場合には、閲覧者位置情報によって示される位置が配信範囲内にないと判定される。
【０１３２】
閲覧者位置情報によって示される位置が配信範囲内にあると判定された場合（ステップＳ２４のＹＥＳ）、配信情報特定部１３は、ステップＳ２２において算出された距離に基づいて、配信者位置情報によって示される位置が受信部１２によって受信された閲覧範囲内にあるか否かを判定する（ステップＳ２５）。
【０１３３】
ここで、受信部１２によって受信された閲覧範囲は配信範囲と同様に距離（以下、閲覧距離と表記）によって表される。この場合、ステップＳ２５においては、配信者位置情報によって示される位置が閲覧者位置情報によって示される位置から閲覧距離内にあるか否かが判定される。すなわち、ステップＳ２２において算出された距離が閲覧距離以下である場合には、配信者位置情報によって示される位置が閲覧範囲内にあると判定される。一方、ステップＳ２２において算出された距離が閲覧距離を超える場合には、配信者位置情報によって示される位置が閲覧距離内にないと判定される。
【０１３４】
配信者位置情報によって示される位置が閲覧範囲内にあると判定された場合（ステップＳ２５のＹＥＳ）、配信情報特定部１３は、対象配信情報に含まれるカテゴリ情報によって示されるカテゴリ（以下、第１カテゴリと表記）と受信部１２によって受信されたカテゴリ情報によって示されるカテゴリ（以下、第２カテゴリと表記）とが同一であるか否かを判定する（ステップＳ２６）。
【０１３５】
第１カテゴリと第２カテゴリとが同一であると判定された場合（ステップＳ２６のＹＥＳ）、配信情報特定部１３は、閲覧者が閲覧可能な配信情報として対象配信情報を特定し、当該対象配信情報をリストに追加する（ステップＳ２７）。
【０１３６】
すなわち、本実施形態において閲覧者が閲覧可能な配信情報とは、当該閲覧者の位置が当該配信情報の配信範囲内にあり、当該配信情報の配信者の位置が閲覧者の閲覧範囲内にあり、当該配信情報に含まれるカテゴリが閲覧者によって指定されたカテゴリと同一の配信情報である。
【０１３７】
次に、データベース１１に格納されている全ての配信情報についてステップＳ２１〜Ｓ２６の処理が実行された否かが判定される（ステップＳ２８）。
【０１３８】
全ての配信情報について処理が実行されていないと判定された場合（ステップＳ２８のＮＯ）、ステップＳ２１に戻って処理が繰り返される。この場合、ステップＳ２１〜Ｓ２７の処理が実行されていない配信情報を対象配信情報として当該処理が実行される。
【０１３９】
一方、全ての配信情報について処理が実行されたと判定された場合（ステップＳ２８のＹＥＳ）、配信情報特定処理は終了される。
【０１４０】
配信情報特定処理が終了された場合、ステップＳ２６において配信情報が追加されたリスト（閲覧者が閲覧可能な配信情報の一覧）が、閲覧者端末３０に対して送信され、閲覧者端末３０において表示される。
【０１４１】
詳細な説明については省略するが、閲覧者端末３０に表示された配信情報の一覧は、閲覧者によって指定された条件（例えば、配信日等）によって絞り込まれて再表示されてもよいし、配信者の位置と閲覧者の位置との間の距離または配信情報に含まれるカテゴリ（情報）に基づいて並び替えられて再表示されてもよい。
【０１４２】
なお、ステップＳ２４において閲覧者位置情報によって示される位置が配信範囲内にないと判定された場合（ステップＳ２４のＮＯ）、ステップＳ２５において配信者位置情報によって示される位置が閲覧範囲内にないと判定された場合（ステップＳ２５のＮＯ）、及びステップＳ２６において第１カテゴリと第２カテゴリとが同一でないと判定された場合（ステップＳ２６のＮＯ）、ステップＳ２７の処理は実行されず、ステップＳ２８の処理が実行される。
【０１４３】
上記したように本実施形態においては、配信情報、配信者の位置を示す配信者位置情報（第１位置情報）及び当該配信情報が配信される範囲を示す配信距離（第１距離）を配信者端末２０から受信し、当該受信された配信情報、配信者位置情報及び配信距離（配信範囲）を対応づけてデータベース１１に格納（登録）する。また、本実施形態においては、閲覧者の位置を示す閲覧者位置情報（第２位置情報）及び閲覧者が配信情報を閲覧する範囲を示す閲覧距離（第２距離）を閲覧者端末３０から受信し、データベース１１に登録された配信者位置情報及び配信距離と、受信された閲覧者位置情報及び閲覧距離とに基づいて、データベース１１に登録された配信情報を閲覧者が閲覧可能な配信情報として特定する。本実施形態においては、このように特定された配信情報（の一覧）が閲覧者端末３０に表示される。
【０１４４】
このような構成によれば、情報を配信する配信者及び情報を閲覧する閲覧者の利便性を向上させることができる。
【０１４５】
具体的には、閲覧者位置情報によって示される位置が配信者位置情報によって示される位置から配信距離内にあり、配信者位置情報によって示される位置が閲覧者位置情報によって示される位置から閲覧距離内にある場合に、当該配信者位置情報及び配信距離（配信範囲）に対応づけてデータベース１１に格納された配信情報を特定して閲覧者端末３０に表示する。
【０１４６】
この場合、配信者位置情報によって示される位置と閲覧者位置情報によって示される位置との間の距離（第３距離）が算出され、当該算出された距離が配信距離以下である場合に、閲覧者位置情報によって示される位置が配信者位置情報によって示される位置から配信距離内にあると判定される。また、算出された距離が閲覧距離以下である場合に、配信者位置情報によって示される位置が閲覧者位置情報によって示される位置から閲覧距離内にあると判定される。なお、配信者位置情報によって示される位置と閲覧者位置情報によって示される位置との間の距離は、直線距離であってもよいし、経路上の距離であってもよい。
【０１４７】
ここで、複数の閲覧者として閲覧者（端末３０）Ａ〜Ｃが存在している場合において、当該閲覧者が閲覧可能な配信情報について図１６を参照して概念的に説明する。
【０１４８】
なお、図１６に示す丸印は配信者（飲食店等の店舗）を示し、図１６において、配信者の各々はそれぞれ駅Ｌ、Ｍ及びＮの近傍に位置しているものとする。また、図１６において、実線は各配信者の配信情報が配信される配信範囲を示し、当該配信範囲は配信距離を半径とする円形で示されている。一方、破線は各閲覧者Ａ〜Ｃが配信情報を閲覧する閲覧範囲を示し、当該閲覧範囲は閲覧距離を半径とする円形で示されている。なお、図１６に示す例では、各配信範囲及び各閲覧範囲としては概ね同一の値（距離）が設定されている。
【０１４９】
図１６に示す配信範囲及び閲覧範囲の例では、閲覧者Ａは、Ｌ駅周辺に位置する配信者の配信範囲内に位置しているため、当該Ｌ駅周辺に位置する配信者によって配信される配信情報を閲覧することができる。
【０１５０】
また、閲覧者Ｂは、Ｌ駅及びＭ駅周辺に位置する配信者の配信範囲内に位置しているため、当該Ｌ駅及びＭ駅周辺に位置する配信者によって配信される配信情報を閲覧することができる。
【０１５１】
また、閲覧者Ｃは、配信者の配信範囲内に位置していないため、配信情報を閲覧することはできない。
【０１５２】
更に、閲覧者Ｄは、Ｎ駅周辺に位置する配信者の配信範囲内に合い位置しているため、当該Ｎ駅周辺位位置する配信者によって配信される配信情報を閲覧することができる。
【０１５３】
これによれば、閲覧者と地理的に関係性の薄い配信者（つまり、閲覧者から距離の遠い配信者）からの情報は排除される（つまり、当該閲覧者の閲覧者端末３０には表示されない）ため、閲覧者には必要な情報のみが配信されることになり、閲覧者の利便性を向上させることができる。
【０１５４】
一方、配信者の観点では、Ｌ駅周辺に位置する配信者は、閲覧者Ａ及びＢにのみ配信情報を閲覧させる（配信する）ことが可能である。また、Ｍ駅周辺に位置する配信者は、閲覧者Ｂにのみ配信情報を閲覧させることが可能である。また、Ｎ駅周辺に位置する配信者は、閲覧者Ｄにのみ配信情報を閲覧させることが可能である。
【０１５５】
これによれば、配信者によって配信された情報は当該配信者と地理的に関係性の薄い閲覧者（つまり、配信者から遠い位置にいる閲覧者）からは閲覧されないため、当該配信者によって配信された情報が関係性の薄い閲覧者等からの非難の対象となるようなリスクを軽減することができ、配信者は安心して情報を配信することができる。換言すれば、配信者は、比較的重要でない情報であっても気軽に配信することができる。
【０１５６】
すなわち、本実施形態においては、配信者によって配信された情報を「意図的に物理的に遠くにいる人」には閲覧させない（つまり、「意図した範囲内にいる人」にのみ閲覧させる）という制御を実現することができる。
【０１５７】
なお、本実施形態において、配信者位置情報は、例えば配信者によって予め登録されている店舗の住所から取得可能な位置を示す位置情報、配信者端末２０に搭載されているＧＰＳセンサによって測定される位置を示す位置情報、配信情報に含まれる画像データ（写真）にＥｘｉｆとして付与されている位置情報、アプリケーションを起動することによって表示された地図上で指定された位置を示す位置情報、サードパーティが提供する位置情報、予め登録された郵便番号から特定される位置情報等のうちの１つであるが、配信範囲の基準となる位置を示す位置情報であれば他のものであってもよい。
【０１５８】
また、閲覧者位置情報としては例えば閲覧者端末３０に搭載されているＧＰＳセンサによって測定される位置（つまり、閲覧者の現在位置）を示す位置情報を取得するが、本実施形態においては、当該位置情報に代えて例えば予め登録された位置（自宅または勤務先の位置等）を示す位置情報を閲覧者位置情報として取得するようにしてもよい。すなわち、本実施形態においては、配信情報を閲覧する際に、複数の位置情報（現在位置を示す位置情報及び自宅の位置を示す位置情報）の中から閲覧者位置情報として取得する位置情報を選択することが可能な構成であるものとする。
【０１５９】
これによれば、閲覧者は、例えば自宅または勤務先にいない場合であっても、その近隣の店舗（配信者）の配信情報を閲覧することができる。
【０１６０】
なお、上記した閲覧者位置情報として取得可能な位置情報は、例えば閲覧者の現在位置を示す位置情報及び予め登録された位置を示す１つの位置情報の２つとする（つまり、閲覧者位置情報として取得可能な位置情報の数を制限する）。閲覧者位置情報を多くの位置情報から選択可能であるものとすると、通常は配信者の近くにいないような地理的に関係性の薄い閲覧者から配信情報を閲覧される可能性が高くなるためである。
【０１６１】
また、本実施形態においては、閲覧者によって指定されたカテゴリと同一のカテゴリ（を示すカテゴリ情報）を含む配信情報を特定して閲覧者端末３０に表示する。このため、閲覧者は、より閲覧者の意図に合致する配信情報を閲覧することが可能となる。
【０１６２】
また、本実施形態において、配信範囲（配信距離）は配信情報毎に設定される。このため、配信者は、配信情報の内容に応じて配信範囲を変える（設定する）ことが可能となる。
【０１６３】
ここで、本実施形態においては、配信者が配信範囲（配信距離）を設定し、閲覧者が閲覧範囲（閲覧距離）を設定するものとして説明したが、当該配信範囲及び当該閲覧範囲の少なくとも一方は例えば情報配信システムの運営者によって指定された範囲に固定されていてもよい。
【０１６４】
また、本実施形態において配信者は例えば飲食店等の店舗やその他の施設等であるものとして説明したが、配信者は、例えば当該店舗や施設の利用客等であってもよい。この場合、配信者は、例えば店舗や施設を利用した感想や当該店舗や施設の紹介等を含む配信情報を配信することができる。
【０１６５】
なお、本願発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素から幾つかの構成要素を削除してもよい。更に、異なる実施形態に亘る構成要素を適宜組合せてもよい。  
【符号の説明】
【０１６６】
１０…情報配信装置、１０ａ…コンピュータ、１０ｂ…記憶装置、１１…データベース（格納部）、１２…受信部、１３…配信情報特定部、１４…送信部、２０…配信者端末、２１…配信情報生成部、２２…位置情報取得部、２３…配信範囲取得部、２４…送信部、３０…閲覧者端末、３１…位置情報取得部、３２…閲覧範囲取得部、３３…カテゴリ取得部、３４…送信部、３５…受信部、３６…表示部。
【図１】
2019086826.tif 000003
【図２】
2019086826.tif 000004
【図３】
2019086826.tif 000005
【図４】
2019086826.tif 000006
【図５】
2019086826.tif 000007
【図６】
2019086826.tif 000008
【図７】
2019086826.tif 000009
【図８】
2019086826.tif 000010
【図９】
2019086826.tif 000011
【図１０】
2019086826.tif 000012
【図１１】
2019086826.tif 000013
【図１２】
2019086826.tif 000014
【図１３】
2019086826.tif 000015
【図１４】
2019086826.tif 000016
【図１５】
2019086826.tif 000017
【図１６】
2019086826.tif 000018